(57)【特許請求の範囲】
【請求項１】
電子物品監視マーカーであって、
ａ）各々が主軸線Ａを有する磁気切換部分により隣接する磁束収集部分に連結された複数の磁束収集部分を備える信号生成層であって、前記主軸線Ａが前記磁気切換部分の中間部を通って隣接する前記磁束収集部分の方向に延びている信号生成層と、
ｂ）各磁束収集部分に重畳する分離した複数の信号遮断要素を備える信号遮断層であって、各信号遮断要素が、前記磁気切換部分に重なる少なくとも１つの境界を有し、該境界が、前記磁気切換部分の主軸線Ａに垂直ではない接線Ｔを有してなる信号遮断層と、
を具備する電子物品監視マーカー。
【請求項２】
隣接する信号遮断要素の間の前記境界が相補的である、請求項１に記載の電子物品監視マーカー。
【請求項３】
隣接する信号遮断要素の間の前記境界が相補的ではない、請求項１に記載の電子物品監視マーカー。
【請求項４】
各信号遮断要素が、ただ１つの磁束集中点を画定する境界を備える、請求項１に記載の電子物品監視マーカー。
【発明の詳細な説明】
【０００１】
技術分野
本発明は、磁気タイプの電子物品監視システムに使用される光学的記録媒体とともに使用するタイプの電子物品監視マーカーに関する。
【０００２】
発明の背景
磁気タイプの電子物品監視（「ＥＡＳ」）システムは、衣類、書籍、カセットおよびコンパクトディスクなどのような商品の窃盗を防止するために広く使用されている。ＥＡＳシステムは、多くの場合、図書館または小売店などのような保護された領域から許可なく物品が取り出されることを防止するために使用される。ＥＡＳシステムは、通常、保護領域の出口付近に配置された質問領域または通路と、保護対象の物品に取り付けられるマーカーまたはタグとを備える。ＥＡＳシステムは、磁気、ＲＦ、マイクロ波および磁気−精密技術に基づいていたが、使用する特定の技術に関係なく、このシステムは、タグが、通路内の質問信号に暴露された場合に、何らかの特徴的な応答を生成するように設計される。この特徴的な応答が検出された場合、通路内に感応タグが存在することを示す。ＥＡＳシステムは、次に、可聴アラームを鳴らす、出口ゲートを閉鎖するなどのような何らかの適切な安全保護動作を開始する。保護領域からの許可された物品の取り出しを可能にするには、永久的または可逆的に非活性化可能なタグ（それぞれ「単一状態」および「二重状態」マーカーと呼ばれる）が使用されることが多い。
【０００３】
ＥＡＳマーカーは、コンパクトディスクおよびＣＤ−ＲＯＭなどのような光学的記録媒体の盗難防止に使用されてきたが、このマーカーは、新品のコンパクトディスクが入ったパッケージに取り付けるのに概して適しており、ディスク自体に直接取り付けるにはあまり適さない。この問題の１つの解決方法は、本願と同一の出願人に譲渡された米国特許第５，６９９，０４７号（Ｔｓａｉ他）および第５，８２５，２９２号（Ｔｓａｉ他）で提示されており、この特許は、可撓性支持シートに取り付けられた１つまたは複数のマーカー要素を備えるマーカーを開示している。支持シート（または一実施形態では、マーカー要素のみ）は、マーカー要素がディスク中心に対して対称に離間配置されて、その結果、ディスクが回転した時にディスクがバランスを失うのを防止するように、光ディスクに取り付けられる。しかし、次第に増加する情報量が１枚の光学的記録ディスクに記憶されるため、メーカーは、こうしたディスクの両面に記録することを追及してきた。したがって、光情報を記録しているかまたは記録でき、また光情報を読み取らなければならないディスク領域を覆うマーカー要素は、望ましくない可能性がある。
【０００４】
米国特許第５，３４７，５０８号（Ｍｏｎｔｂｒｉａｎｄ他）には、光ディスクと組んだもう１つの様式のＥＡＳマーカーが開示されている。リング形態のこのマーカーは、同心の信号生成層および信号遮断層を含み、これら層は連結されて、ディスク中央部付近に形成される円形の溝内に埋め込むことができる二重状態マーカーを提供する。この特許に開示されているマーカーは、連続信号遮断層およびバイアス領域を使用しており、信号遮断層は、このバイアス領域から活性化機構を提供する。連続信号遮断層を備えるＭｏｎｔｂｒｉａｎｄ他に開示されているタイプのＥＡＳマーカーは、独自の有用性を有するが、すべての状況でマーカーを非活性化させるのに十分に効果的ではない。
【０００５】
したがって、上記の点で、光学的記録媒体用の従来のＥＡＳマーカーの欠点を克服するＥＡＳマーカーを提供することが望ましい。
【０００６】
発明の要約
本発明は、その範囲内に、複数の磁気切換部分により連結された複数の磁束収集部分を備える信号生成層と、各磁束収集部分に重なる複数の信号遮断要素を備える信号遮断層であって、各々の要素が、磁気切換部分に重なる少なくとも１つの境界を有する信号遮断層とを具備する電子物品監視マーカーを含む。好ましい実施形態では、磁気切換部分は各々主軸線Ａを有し、信号遮断要素は各々、少なくとも１つの境界を有し、これら境界は、磁気切換部分の上に重なり、磁気切換部分の主軸線Ａに垂直ではない接線Ｔを有する。このマーカーは、光ディスク上に使用するのに適することが好ましいが、他の物品に使用しても良い。
【０００７】
本発明のマーカーを製造する方法についても開示し、この方法は、信号生成層および信号遮断層を別個に製造して、これら層を一緒に積層するか、または基板から各層の不要材料を化学的にエッチングして除去することを含む。
以下、添付図面を参照して、本発明をさらに詳細に説明する。
【０００８】
発明の詳細な説明
本発明は、光学的記録ディスクの非記録領域または「ハブ」領域に取り付けるための二重状態ＥＡＳマーカーに関する。このマーカーは、透過性が高く、保磁力が低い軟質の磁気材料から形成された第１の環状信号生成層と、残留磁化可能な材料から形成された信号遮断層（不連続であることが好ましい）とを備える。信号生成層は、相当大きいＥＡＳ信号を生成する磁束収集部分を備えて、マーカーの検出を促進するように構成され、信号遮断層は、マーカーを効果的に非活性化する独特なパターンを有する。
【０００９】
本明細書に開示するタイプのマーカーは、光ディスクに一般に使用されるが、その他の適切な物品に使用しても良い。分かりやすくするため、本発明のマーカーについて、光ディスクに関連して使用する実施形態に関して主に説明し、好ましい寸法が記載されている場合、これら寸法はこうした実施形態に関する寸法を指す。このマーカーの個々の層、およびこのマーカーの製造に使用する方法について、以下に詳細に説明する。
【００１０】
１．信号生成層
信号生成層１０の一実施形態を図１に示す。信号生成層１０は、中心点の周囲に連続しており、磁気切換部分１４により互いに連結された４つの磁束収集部分１２を備える。磁束は、磁束収集部分から磁気切換部分を通って流れ、公知の原理に従って質問システムにより検出される信号を生成する。たとえば、引用により全体の内容を本明細書に包含する米国特許第４，７１０，７５４号（Ｍｏｎｔｅａｎ）、特に第３欄の２９行目から５２行目、および第４欄の２７行目から３９行目を参照。各々の磁気切換部分は主軸線「Ａ」を備え、この軸線の重要性について、以下の好ましい実施形態に関して説明する。図示の実施形態では、主軸線Ａは、磁気切換部分の中間点を通り、２つの対向する磁束収集部分の方向に延在するように描かれている。磁束収集部分１２ａおよび磁気切換部分１４ａを備える信号生成層１０ａのもう１つの実施形態を図２に示す。
【００１１】
信号生成層は、透過性が高く、保磁力が低い材料、たとえばパーマロイ、スーパマロイまたは非晶質磁気合金などから製造できる。こうした材料の一例は、約６７原子％のコバルト、５％の鉄、１２％のホウ素、１３％のケイ素から成る非晶質磁気合金であり、ニュージャージー州、パリスパニィのＡｌｌｉｅｄＳｉｇｎａｌ  Ｃｏｒｐｏｒａｔｉｏｎから２７０５Ｍの商品名で市販されている。信号生成層に使用されるもう１つの適切な材料は、８０重量％のニッケル、４．２％のモリブデンおよび１５％の鉄から成るパーマロイであり、ペンシルバニア州、リーディングのＣａｒｐｅｎｔｅｒ  Ｔｅｃｈｎｏｌｏｇｙ  Ｃｏｍｐａｎｙから「ＨｙＭｕ８０」の商品名で市販されている。
【００１２】
図１および図２は、信号生成層１０／１０ａを構成する切換部分１４／１４ａおよび磁束収集部分１２／１２ａの配置の単なる一例を示す。信号生成層は、２つ以上の磁束収集部分を有し、これら磁束収集部分は対称であり、互いに均一に離間配置されていることが好ましい。図示の実施形態は、４つの磁束収集部分を示しているが、磁束収集部分がこれより多いかまたは少ないマーカーも、本発明の教示に関連して有用であると考えられ、本発明の範囲に含まれる。たとえば、米国特許第４，７１０，７５４号（Ｍｏｎｔｅａｎ）の図４に示されているように、最寄りの隅に磁束収集部分を有し、これら磁束収集部分の間に切換部分を有する三角形の信号生成層も使用することができる。各々の磁束収集部分は、保磁力が低いシート状材料と、透過性が高い材料の同一平面部分から形成される。磁束収集部分の幅は、磁気切換部分の最小幅の少なくとも１０倍であることが好ましい。
【００１３】
光ディスクに使用する場合、信号生成層の最大外径（ＯＤ）は４．６ｃｍ（１．８１ｉｎ）未満であることが好ましいが、３．５ｃｍ（１．３８ｉｎ）未満であればさらに好ましい。各切換部分の最小幅は０．１２７〜１．２７ｍｍ（０．００５〜０．０５ｉｎ）であることが好ましい。最小幅に垂直な切換部分の長さは、１．０〜１５ｍｍ（０．０４〜０．６ｉｎ）の範囲内であることが好ましい。信号生成層の厚さは、０．０２５４ｍｍ（０．００１ｉｎ）未満であることが好ましい。
【００１４】
ＩＩ．信号遮断層
二重状態マーカーを製造するには、信号遮断層を形成して、質問システムが信号生成層を検出できないようにする。好ましい信号遮断層は、２０〜４００エルステッドの保磁力、および高度の残留磁化を有する磁気材料である。信号遮断層は、適切に磁化された場合、信号生成層の磁気切換部分内における磁気切換を遮断し、その結果、質問システムは信号生成層を検出できなくなる。信号遮断層２０の構成の一例を図３に示すが、この図では、下にある信号生成層１０の外周部を点線で示し、最終的なＥＡＳマーカーにおけるこれら２つの層の相対的な配置を示す。信号遮断層は、信号生成層の非活性化を促進するため、信号生成層よりわずかに大きいことが好ましい点に注意されたい。
【００１５】
信号遮断層は、各々の磁束収集部分１２のほぼ上に重なる信号遮断要素２２を備え、これら要素２２は、互いに分離していることが好ましいが、必ずしも分離している必要はない。つまり、信号遮断層は、２つ以上の分離している信号遮断要素２２、または連続構成で形成される２つ以上の信号遮断要素を備えることができる。各々の信号遮断要素は、磁気切換部分のほぼ上に重なる少なくとも１つの境界を有し、図３に示す信号遮断要素の場合、各々のこうした要素は、２つの磁気切換部分の上に境界を有する。好ましい実施形態では、磁気切換部分の上に重なる境界の少なくとも１つは、この磁気切換部分の主軸線「Ａ」に垂直ではない接線「Ｔ」を有する。この構成により、信号遮断要素の磁束は所望の位置に集中し（図３の磁束集中点２４）、この点から隣接する磁気切換部分を通って移動する。この磁束は磁気切換部分を付勢し、信号生成層が、検出可能な信号を生成するのを妨げる。これは、信号生成層の各切換部分の磁気特性が変化するかまたは減少し、各要素からの交互の極性切換パルスの振幅も著しく変化または減少するためであると考えられる。こうして、信号遮断層の活性化は信号生成層の検出を妨げ、その結果、マーカーの検出を妨げる。磁束集中点２４は、任意であるが本発明の好ましい特徴である。
【００１６】
図４〜図７に示す信号遮断層の実施形態では、分離している隣接信号遮断要素の境界は相補的であり、つまり、隣接部分２２が互いに連結された場合、これら部分が１本の連続線に沿って一致することを意味する。隣接する信号遮断要素間の相補的な境界も、任意であるが本発明の好ましい特徴である。隣接信号遮断要素は、図８に示すような相補的ではない境界を有しても良い。
【００１７】
信号遮断層に適する１つの材料は、７６重量％の鉄、２０％のニッケルおよび４％のモリブデンを含む鉄ベースの合金であり、ペンシルバニア州、リーディングのＣａｒｐｅｎｔｅｒ  Ｔｅｃｈｎｏｌｏｇｙ  Ｃｏｍｐａｎｙから「ＭａｇｎｅＤｕｒ」の商品名で市販されている。ＭａｇｎｅＤｕｒの保磁力は約４５〜６５エルステッドであり、残留磁化は約１０，０００ガウスである。信号遮断層に適するもう１つの材料は、６４重量％の鉄、６，８％のコバルト、２８．３％のクロムおよび０．２％のニッケルを含む鉄クロム合金であり、イリノイ州、マレンゴのＡｒｎｏｌｄ  Ｅｎｇｉｎｅｅｒｉｎｇ  Ｃｏｍｐａｎｙから「Ａｒｎｏｋｒｏｍｅ  ３」の商品名で市販されている。Ａｒｎｏｋｒｏｍｅ  ３の保磁力は５０〜２００エルステッドであり、残留磁化はやはり１０，０００ガウスである。信号遮断層に適するその他の磁気材料としては、当業者が周知しているＶｉｃａｌｌｏｙ、Ｃｈｒｏｍｉｎｄｕｒ  ＩＩが挙げられる。
【００１８】
ＩＩＩ．マーカー
本発明のマーカーは二重状態マーカーであり、これは、マーカーが好ましくは繰返し活性化および非活性化されることを意味する。このマーカーは、信号遮断層が消磁された時に活性化するということであり、なぜなら、信号生成層は、ミネソタ州、セントポールのＭｉｎｎｅｓｏｔａ  Ｍｉｎｉｎｇ  ａｎｄ  Ｍａｎｕｆａｃｔｕｒｉｎｇ  Ｃｏｍｐａｎｙ（３Ｍ  Ｃｏｍｐａｎｙ）が市販しているような従来の磁気質問システムが検出可能な高調波信号を生成するからである。このマーカーは、信号遮断層が磁化された時に非活性化されるということであり、なぜなら、信号遮断層が、信号生成層の切換部分を実質的に飽和する、つまり閉鎖するのに十分な磁束を発生させ、その結果、マーカーの検出を妨げるからである。マーカーは、先行技術で周知されているように、たとえば単一極性の実質的に均一な磁界を有する永久磁石上にマーカーを圧迫して非活性化することができる。マーカーを再び活性化させるには、先行技術で周知されているように、減衰振幅の交流磁界上にマーカーを通過させて、信号遮断層を消磁する。
【００１９】
本発明によるマーカーの特定の利点は、ある向きでマーカーに減感磁界を加えることにより、マーカーを減感できるという点である。詳細には、減感磁界は、信号遮断層に対してどの向きで加えても、マーカーを非活性化させることができる。このタイプのマーカーは、「多方向感応性」であると言われる。この特性は、従来のマーカーの場合は必ずしも当てはまらないが、マーカーの完全な非活性化を示す試験によると、本発明のマーカーの場合は当てはまると考えられる。
【００２０】
信号生成層および信号遮断層のパラメーター、特に磁束領域付近におけるこれら２つの層の関係について、図９に関して説明する。図９では、信号遮断層は信号生成層の上に重なる。図９に示すように、信号遮断層の狭い領域ＷNの幅は、信号生成層の切換部分ＷSの幅よりわずかに大きいことが好ましい。狭い領域における信号遮断層の隣接部分間の隙間ＧNは重要ではないが、信号生成層の切換部分ＷSの幅より大きく、信号生成層の切換部分の長さＬSより小さいことが好ましい。長さＬSは、切換部分の幅が切換部分の最小幅より５倍以上大きくなる切換部分に垂直な線間で測定する。図９に示す実施形態では、ＬSは約４．１ｍｍ（０．１６ｉｎ）、ＷNは約２．０ｍｍ（０．０８ｉｎ）、ＷSは約０．７６ｍｍ（０．０３ｉｎ）、ＧNは約１．５２ｍｍ（０．０６ｉｎ）である。マーカーに所望の特性および性能を提供するように、その他の適切な寸法を選択しても良い。
【００２１】
信号遮断層の厚さも、信号生成層の厚さより厚いことが好ましく、信号遮断層の外径は、信号生成層の外径より大きく、内径は信号生成層の内径より小さいことが好ましい。これは、信号遮断層が信号生成層を非活性化し、ひいてはマーカー全体をより確実に非活性化することを可能にする。図１〜図３に示す好ましい実施形態では、信号生成層は、０．０１５２４ｍｍ（０．０００６ｉｎ）厚のパーマロイのシートから製造される。対応する信号遮断層は、０．０３８１ｍｍ（０．００１５ｉｎ）のＭａｇｎｅＤｕｒのシートから製造することが好ましい。
【００２２】
信号生成層および信号遮断層はどちらも、したがってマーカー自体も、任意の適切なサイズで製造して良いが、マーカーは、光ディスクの非記録領域（ハブ）内に嵌合するのに十分に小さく製造することが好ましい。一般的なタイプのディスクの場合、これら寸法は、外径４６ｍｍ（１．８１ｉｎ）および内径１５ｍｍ（０．５９ｉｎ）である。
【００２３】
光学的記録媒体などのような物体にマーカーを取り付けるには、物体に粘着するが、物体に対して不活性な接着剤をマーカーの表面に塗布することが好ましい。こうした接着剤の一例は、３Ｍ  Ｃｏｍｐａｎｙから９４６１Ｐ転写接着剤の商品名で市販されている。物体の性能または外観に著しい悪影響を及ぼさないその他の接着剤も、十分に機能を果たす。
【００２４】
マーカーには、マーカーが取り付けられる物品の所有者または調達先を指示するロゴまたは英数字情報を印刷できる印刷受容層を設けても良い。
【００２５】
ＩＶ．マーカーの製造
本発明のマーカーは、たとえば、信号生成層および信号遮断層を一緒に積層するか、または信号生成層および信号遮断層を１枚の基板の対向面上にエッチングすることにより、任意の適切な方法で製造することができる。これらの方法について、以下で詳細に説明する。
【００２６】
Ａ．積層：本発明のマーカーを製造する１つの方法は、信号生成層および信号遮断層を別個に成形してから、これら層の見当を合わせて一緒に積層して製造することである。たとえば、適切な材料のシートを図１０に示すパターンで打ち抜くか、さもなければ成形して、多くのマーカーが隣接する信号生成層を製造し、適切な材料のもう１枚のシートを図１１に示すパターンで打ち抜くか、さもなければ成形して、これらマーカーに対する信号遮断層を製造する。次に、この２枚のシートは、接着剤または他の方法で一緒に見当を合わせて積層し、図３に示すマーカーに類似するマーカーを形成する。次に、これらマーカーを図１２に示すようなストリップに切断し、分配に適する方法で提供する。
【００２７】
Ｂ．エッチング：本発明のマーカーを製造するもう１つの方法は、信号生成層の材料（パーマロイなど）および信号遮断層の材料（ＭａｇｎｅＤｕｒなど）をポリマー材料（好ましくは、０．００１ｉｎ厚のポリエステル）の対向面上に積層することである。このシートは、Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（３Ｍ）が製造している転写接着剤の０．０２５４ｍｍ（０．００１ｉｎ）厚の層により互いに積層する。
【００２８】
積層後、信号生成層の表面および信号遮断層の表面は、それぞれ図１０および図１１に示すような望ましいパターンの酸レジスト材料の層で被覆する。次に、この積層物は、個々の層各々から露出金属表面をエッチングして除去し、レジスト材料で被覆された金属層部分を残す従来の酸エッチング処理などにより適切に処理して、レジストにより被覆されない個々の金属シート部分を除去する。この酸レジスト材料を除去すると、ＥＡＳマーカーが生じる。
【００２９】
エッチング液の選択は、信号生成層および信号遮断層として使用する材料によって決まる。パーマロイおよびＭａｇｎｅＤｕｒに適するエッチング液としては、リン酸（Ｈ3ＰＯ4）、塩化鉄（ＦｅＣｌ3）、および混酸（１９９１年にＣＲＣ  Ｐｒｅｓｓが発行したＰｅｒｒｉｎ  ＷａｌｋｅｒおよびＷｉｌｌｉａｍ  Ｈ．Ｔａｒｎ編の「ＣＲＣ  Ｈａｎｄｂｏｏｋ  ｏｆ  Ｍｅｔａｌ  Ｅｔｃｈａｎｔｓ」（金属エッチング液のＣＲＣハンドブック）を参照）、または硝酸（１部）および酢酸（１部）の混合物、王水（硝酸（１部）および塩酸（３部））が挙げられる（１９９２年にＢｕｔｔｅｒｗｏｒｔｈ  Ｈｅｉｎｍａｎｎが発行したＥ．Ａ．ＢｒａｎｄｅｓおよびＧ．Ｂ．Ｂｒｏｏｋ編の「Ｓｍｉｔｈｅｌｌｓ  Ｍｅｔａｌｓ  Ｒｅｆｅｒｅｎｃｅｓ  Ｂｏｏｋ」参照）。本発明に使用するのに好ましい１つのエッチング液は、塩化鉄、塩酸、および塩化アンモニウム溶液である。
【００３０】
エッチング方法の選択は、信号生成層および信号遮断層として使用する材料によって決まる。たとえば、信号生成層は０．０００６ｉｎ厚のパーマロイ、信号遮断層のシートは０．００１５ｉｎ厚のＭａｇｎｅＤｕｒで良く、各々のシートは、異なるエッチング条件に暴露して、露出金属を除去する必要がある。１つのエッチング槽を使用する場合、連結された積層物層を先ず短時間エッチングして比較的薄いパーマロイを除去する。次に、この積層物を槽から取り出し、層がさらにエッチングされるのを防止するためにパーマロイを被覆する。次に、この積層物をエッチング槽中に再度挿入し、信号遮断層の望ましくない部分が除去されるまでエッチングを続ける。
【００３１】
次に、結果として得られたパターン化された積層物は、印刷可能な紙またはラベル素材の層を信号遮断層上に付着させて印刷可能な表面を形成し、転写接着剤の層および剥離ライナーをパーマロイシートの露出面に追加して、最終的なＥＡＳマーカーとして形成する。次に、この最終的な積層物をダイカットして、マーカーの所望の幾何学的形状を形成する。次に、望ましくない無用物を剥離して、最終的なＥＡＳマーカーのみを剥離ライナー上に残す。たとえば、光学的記録媒体用の二重状態ＥＡＳマーカーは、外径４１ｍｍ（１．６２５ｉｎ）および内径１６ｍｍ（０．６２５ｉｎ）のリングを打ち抜いて製造することができる。
【００３２】
Ｖ．マーカーの検出
検出システムは、特定の振幅の信号に応答する振幅検出システムであるか、または特定の信号プロファイルに応答する位相感知検出システムで良い。どのシステムもマーカーを検出できないようにマーカーを非活性化するには、マーカーは、振幅の両端が振幅検出システムの検出限度未満である信号、および位相感知検出システムが予期する信号プロファイルに一致しない信号を生成しなければならない。振幅検出システムは、３Ｍから１８５０、１３６０および２３００の商品名で市販されている。位相、極性および振幅を検出する検出システムは、３Ｍから３３００および３８００の商品名で市販されており、非活性化マーカーの振幅が、振幅検出システム内のアラームを起動するのにまだ十分に高い場合に使用されることが多い。本発明のマーカーは完全に非活性化させることができるので、どのタイプの検出システムもマーカーを検出せず、したがって、どのタイプの検出システムを使用しても良い。
【００３３】
従来の検出システムの詳細な説明は、米国特許第４，９６７，１８５号（Ｍｏｎｔｅａｎ）に記載されており、この特許の全体の内容は、引用により本明細書に包含する。特に、位相感知検出システムは、一般に、２つの離間配置されたパネルを備え、ＥＡＳマーカーで保護された物体を所持している人は、このパネルの間を通過して安全保護領域から移動しなければならない。フィールドコイルおよび検出器コイルが、これらパネル内に配置される。フィールドコイルは、駆動増幅器に連結された適切な発振器であって、パネルの間に延在する質問領域内に、予め決められた周波数で振動する磁界を生成する発振器により電源を供給される。１種類の共通の周波数は、約１０ｋＨｚである。検出器コイルは、感知増幅器およびフィルタに連結され、次に一対のレベル検出器、および位相感知検出器に連結される。これら３つの検出器に共通の出力は、アラーム論理ネットワークに連結され、これは基本的に排他的な「ＡＮＤ」ゲートであり、その結果、アラームを起動するために３つの検出器すべてからの適切な信号を提示しなければならない。つまり、信号パルスが最小閾値を超えない場合、レベル検出器（ひいてはアラーム信号）は起動されず、信号パルスが変位すると、位相感知検出システム（ひいてはアラーム信号）は起動されない。振幅検出システムの場合、マーカーが減感された時に、マーカーの振幅が十分に低い場合、アラーム信号も起動されない。
【００３４】
活性化したマーカー（つまり、信号遮断部分が非活性化したマーカー）を有する物体を所持する人が、パネルの間を通過する場合、マーカーの存在が検出され、アラームが生成される。逆に、パネルの間を通過する前に、マーカーが非活性化された場合（つまり、信号遮断部分が活性化された場合）、アラーム音は発生しない。本発明は、以下の実施例を参照しても理解することができるが、これら実施例は、具体的に示すためのもので、本発明を制限するものではない。
【００３５】
実施例
実施例１
ペンシルバニア州、リーディングのＣａｒｐｅｎｔｅｒ  Ｔｅｃｈｎｏｌｏｇｙ  ＣｏｍｐａｎｙがＨｙＭｕ８０の商品名で市販しているタイプのニッケルおよび鉄から製造された０．０１５２ｍｍ（０．０００６ｉｎ）厚、５．１ｃｍ（２ｉｎ）平方の箔を、このサイズに等しいかまたはこのサイズより大きい接着剤塗布紙に積層した。次に、この積層物を図１に示すパターンに打ち抜いた。次に、打ち抜いたサンプルは、内径１５．８８ｍｍ（０．６２５ｉｎ）および外径３４．９３ｍｍ（１．３７５ｉｎ）の同心リング状に型打ちして、信号生成層を形成した。
【００３６】
信号遮断層も、イリノイ州、マレンゴのＡｒｎｏｌｄ  Ｅｎｇｉｎｅｅｒｉｎｇ  Ｃｏｍｐａｎｙが「Ａｒｎｏｋｒｏｍｅ  ３」の商品名で市販しているタイプの０．０４１ｍｍ（０．００１６ｉｎ）厚の鉄−クロム合金を図３に示すパターンに打ち抜いて剪断して製造した。信号遮断層は、単一の製造要素として同じ内径および外径を有していた。
【００３７】
次に、３ＭがＳｃｏｔｃｈ積層接着剤４６７ＭＰの商品名で市販しているタイプの転写接着剤を使用して、信号生成層を信号遮断層に接着し、二重状態マーカーを形成した。
【００３８】
信号生成層は、信号遮断層が消磁状態にある場合、検出可能なＥＡＳ信号を生成した。１５０ガウスのＤＣ磁界に暴露して信号遮断要素を磁化すると、信号生成層は、１５エルステッド以下の質問領域に暴露した時に、検出可能なＥＡＳ信号を生成しなかった。信号遮断要素は、非活性化領域に対してどの向きでも非活性化され、マーカーが多次元であることを意味した。
【００３９】
この実施例に記載されているタイプのマーカーは、３Ｍ  Ｃｏｍｐａｎｙがモデル３８００検出システムの商品名で市販しているタイプの質問システムに有用である。
【００４０】
実施例２
ペンシルバニア州、リーディングのＣａｒｐｅｎｔｅｒ  Ｔｅｃｈｎｏｌｏｇｙ  Ｃｏｍｐａｎｙが市販している０．０１５ｍｍ（０．０００６ｉｎ）厚の１本のニッケル−鉄箔を、Ｃａｒｐｅｎｔｅｒ  Ｔｅｃｈｎｏｌｏｇｙ  Ｃｏｍｐａｎｙが「ＭａｇｎｅＤｕｒ」の商品名で市販しているほぼ同じ長さの０．３７５ｍｍ（０．００１５ｉｎ）厚のニッケル−鉄−モリブデン箔に積層した。次に、ニッケル−鉄箔の側に、図１に示す信号生成層のパターンを印刷した。ニッケル−鉄−モリブデン箔側には、図３に示す信号遮断層のパターンを印刷した。
【００４１】
この箔積層物は、積層物を塩化鉄に暴露して両面を化学的にエッチングして、被覆されていないパーマロイおよびＭａｇｎｅＤｕｒを除去した。２種類の金属のエッチング率が一致するように、各側にエッチング液スプレーを塗布する率を適切に調節して、箔積層物を３０分間にわたって１回エッチングした。結果として得られた積層物は、互いに見当が合っているパターン化された信号生成層および信号遮断層を備えていた。二重状態ＥＡＳマーカーは、外径４１ｍｍ（１．６２５ｉｎ）および内径１６ｍｍ（０．６２５ｉｎ）のリングを打ち抜いて作製した。信号生成層は、信号遮断層が非活性化状態にある時に、検出可能なＥＡＳ信号を生成した。信号遮断層が、１５０ガウスのＤＣ磁界により磁化されると、信号生成要素は、１５エルステッド以下の質問領域に暴露された時に、検出可能なＥＡＳ信号を生成しなかった。
【００４２】
本発明のマーカーは、在庫管理が望ましいどの物品にも使用することができる。主に光ディスクに対する使用に関して説明したが、本発明のマーカーは、公衆に対して販売、賃貸、貸出しされるその他の物に使用することもできる。したがって、本発明は、請求の範囲によってのみ限定されるべきである。
【図面の簡単な説明】
【図１】  本発明による信号生成層の一実施形態の平面図である。
【図２】  本発明による信号生成層の一実施形態の平面図である。
【図３】  点線で示されている信号生成層の上に重なる本発明による信号遮断層の平面図である。
【図４】  本発明による、相補的な境界を有する信号遮断層の追加の実施形態である。
【図５】  本発明による、相補的な境界を有する信号遮断層の追加の実施形態である。
【図６】  本発明による、相補的な境界を有する信号遮断層の追加の実施形態である。
【図７】  本発明による、相補的な境界を有する信号遮断層の追加の実施形態である。
【図８】  本発明による、非相補的な境界を有する信号遮断層の追加の実施形態である。
【図９】  本発明の電子物品監視マーカーに対応する一定の相対的寸法の拡大図である。
【図１０】  本発明のＥＡＳマーカーに使用する信号生成層の配列を刻印された材料シートの図である。
【図１１】  本発明のＥＡＳマーカーに使用する信号遮断層の配列を刻印された材料シートの図である。
【図１２】  本発明による剥離ライナー上に提供されたいくつかのＥＡＳマーカーの図である。
【図１】
0004309065.tif 000002
【図２】
0004309065.tif 000003
【図３】
0004309065.tif 000004
【図４】
0004309065.tif 000005
【図５】
0004309065.tif 000006
【図６】
0004309065.tif 000007
【図７】
0004309065.tif 000008
【図８】
0004309065.tif 000009
【図９】
0004309065.tif 000010
【図１０】
0004309065.tif 000011
【図１１】
0004309065.tif 000012
【図１２】
0004309065.tif 000013